(57)【要約】【課題】  操作部、本体分離型の機器において、交流電源ラインの電源制御回路（電源制御装置）に蓄電部が不要である、低コストの待機時の電力消費を節減し得る構成を提供する。【解決手段】  待機時に、機器の操作部１には交流電源の供給し、機器本体８には供給しないようにしておき、操作部１にスイッチ入力が為されてから、操作部１を介して機器本体８へ交流電源１０を供給する構成とする。【代表図】  図１【特許請求の範囲】
【請求項１】
入力手段を有し、交流電源の供給を受けるとともに、外部の電源線へ交流電力を供給する、機器の操作部と、
前記操作部と前記電源線及び信号線で接続する機器の本体と、
前記操作部内に存する制御部と、
前記交流電源から前記制御部に供給する直流電源を作り出すとともに、前記電源線の導通、非導通を制御する開閉手段を有する、前記操作部内に存する電源制御回路と、を備え、
前記制御部は、前記入力手段への入力操作を監視するとともに、前記入力手段が非操作の状態では前記開閉手段を開放状態のまま維持し、前記入力手段が操作されたことを示す信号を検知すると、前記開閉手段を開放状態から閉止状態へ移行させることを特徴とする操作部分離型の機器の節電方式。
【請求項２】
前記入力手段は、スイッチである、請求項１記載の操作部分離型の機器の節電方式。
【請求項３】
前記機器は、自動販売機、洗車機もしくは入場管理機のいずれかである、請求項１記載または請求項２記載の操作部分離型の機器の節電方式。
【発明の詳細な説明】
【技術分野】
【０００１】  本発明は、本体から分離された操作部を備える機器の待機電力を節減する方式に係り、操作部分離型の機器の節電方式に関する。
【背景技術】
【０００２】  機器の待機電力消費をなくす技術、ないしは低減する技術は、例えば、特開２０００−３２４７２３号公報に開示されている。電源プラグ（商用交流電源）と主回路（機器本体）とを結ぶ交流電源ラインに、開閉部（スイッチ）を具備する電源制御装置を介在させ、リモコンで前記電源制御装置の前記開閉部の開閉を制御して、主回路（機器本体）の待機時の電力消費を抑制する方式である。
しかし、この従来の待機電力の節減方式は、前記電源制御装置に蓄電部が必要である。蓄電部が具体的に何であるか、特開２０００−３２４７２３号公報には開示されていないけれど、それは、蓄電池またはコンデンサ（キャパシタ）のことであることが容易に想像が付く。また、この従来の待機電力の節減方式は、電子機器（主回路と電源制御装置）とは別体の前記リモコンにも蓄電部、実際的には蓄電池が必要である。
【特許文献１】  特開２０００−３２４７２３号公報
【発明の開示】
【発明が解決しようとする課題】
【０００３】  従来の待機電力の節減方式は、リモコンと、蓄電部が必須の電源制御装置と、が必要であるという、設計、製造コスト上の問題点があり、前記蓄電部の残容量（蓄電部の保持する電力量）が低下すると、前記リモコンによって、前記電源制御装置を操作できなくなるという問題点があった。また、リモコンに搭載する蓄電池の容量が低下すると、充電しなければならない、その充電中は電子機器を使えない、という問題点もあった。
本発明に係る操作部分離型の機器の節電方式は、こららの問題点に鑑み成されたものであり、交流電源ラインの電源制御回路（電源制御装置）に蓄電部が不要である、低コストの待機時の電力消費を節減し得る構成を提供することが課題である。
【課題を解決するための手段】
【０００４】  上記課題を解決するための本発明の第１発明は、請求項１に記載されたとおりの操作部分離型の機器の節電方式であり、次のようなものである。
入力手段を有し、交流電源の供給を受けるとともに、外部の電源線へ交流電力を供給する、機器の操作部と、前記操作部と前記電源線及び信号線で接続する機器の本体と、前記操作部内に存する制御部と、前記交流電源から前記制御部に供給する直流電源を作り出すとともに、前記電源線の導通、非導通を制御する開閉手段を有する、前記操作部内に存する電源制御回路と、を備えている。
また、前記制御部は、前記入力手段への入力操作を監視するとともに、前記入力手段が非操作の状態では前記開閉手段を開放状態のまま維持し、前記入力手段が操作されたことを示す信号を検知すると、前記開閉手段を開放状態から閉止状態へ移行させる制御を実行し得る構成である。
上記課題を解決するための本発明の第２発明は、請求項２に記載されたとおりの操作部分離型の機器の節電方式であり、次のようなものである。
請求項１記載の操作部分離型の機器の節電方式において、前記入力手段は、スイッチであるものである。すなわち、前記操作部は、少なくとも１個のスイッチを有する。
上記課題を解決するための本発明の第３発明は、請求項３に記載されたとおりの操作部分離型の機器の節電方式であり、次のようなものである。
請求項１記載または請求項２記載の操作部分離型の機器の節電方式において、前記機器は、自動販売機、洗車機もしくは入場管理機のいずれかである。
【発明の効果】
【０００５】  本発明に係る操作部分離型の機器の節電方式は、以上説明したような構成であるので、以下に記載する効果を奏する。
交流電源ラインを開閉する電源制御回路に蓄電部が不要であるので、低コストで設計、製造、すなわち実施が可能である。蓄電部の電力容量低下の心配も不要である。
また、リモコンもしくは操作部に蓄電池が不要であるので、その分、低コストであり、リモコンもしくは操作部を充電する必要もない。
【発明を実施するための最良の形態】
【０００６】  図１は、本発明に係る操作部分離型の機器の節電方式の実施の一形態を示すブロック図である。
自動販売機（例、ドライブスルー施設）、洗車機、入場管理機（例、改札機）などの機器は、操作部と１機器本体８とを有しており、両者は、分離されている。両者をどのように分離するかというと、例えば、機器本体８から離れたところに支柱１１でもって操作部１を設置するとともに、信号線６及び電力線７で両者を接続する。信号線６というのは、制御信号用の通信線であり、少なくとも操作部１から機器本体８へ信号を伝送することができる電線ないしケーブルである。もちろん、信号線６は、双方向の通信線であってもよい。電力線７というのは、交流電力供給用の電線ないしケーブルであり、操作部１から機器本体のほうへ交流電力を供給する。
操作部１は、該入力手段を必ず具備しており、ここでは入力ボタン２がそれに相当する。該入力手段がスイッチ、すなわち操作キーのときは、入力ボタン２が少なくとも１個は必要である。また、入力ボタン２は、いわゆるテンキーであってもよい。さらにまた、該入力手段は、スイッチボタンである必要はなく、貨幣投入口であったり、カードなどの記憶担体投入口であってもよい。
ここでは、最も典型的な入力手段である入力ボタン２を例に本発明の実施の形態を説明する。
操作部１は、交流電源１０から交流電力の供給を受け続けている。しかし、待機状態では、リレー５が開放状態になっており、機器本体８は、交流電源の供給を受けていない。すなわち、待機状態では、機器本体８は全く電力を消費していない。なお、リレー５は、電源制御回路３内に設ける構成でもよい。
操作部１は、電源制御回路３を具備しており、電源制御回路３は交流を直流に整流するとともに、制御手段４などにＤＣ電源を供給している。つまり、操作部１は、スタンバイ状態にある。
ここで、入力ボタン２が操作されると、制御手段４は、そのことを検知し、開放状態にあるリレー５を閉止状態にさせる。いつまで、リレー５を閉止状態にしておくかは入力ボタン２操作時点から所定の時間であったり、機器本体８からの所定の信号を受けるまでであったり、とする。
リレー５が閉止状態になると、電力線７を介して機器本体８の電源回路１３に交流電力が供給され、電源回路１３がＤＣ電源及びＡＣ電源を機器本体８内に出力するようになるので、本体制御基板１４は、その機能を果たし得る状態となる。
操作部１の制御手段４は、本体制御基板１４から通信可能である旨の信号を信号線６を介して受け取ると、機器の操作者が操作部１に入力した信号、すなわち機器本体８への指令を機器本体８側（本体制御基板１４）に信号線６を介して送信する。機器本体８は、操作部１から受信した指令に基づき、所定の動作を行なう。例えば、機器が自動販売機なら、所定の商品を作って排出したり、機器が洗車機なら、所定時間、車両を洗浄したりする。
なお、電力線７に信号線６を兼ねさせることも理論上は可能である。電力線７に信号を重畳させて、いわゆる電力線通信を行なえばよい。
【図面の簡単な説明】
【０００７】
【図１】  図１は、本発明に係る操作部分離型の機器の節電方式の実施の一形態を示すブロック図である。
【符号の説明】
【０００８】  １  操作部
２  入力ボタン
３  電源制御回路
４  制御手段
５  リレー
６  信号線
７  電力線
８  機器本体
１０  交流電源
１１  支柱
１２  地面
１３  電源回路
１４  本体制御基板
【図１】
2005094988.tif 000002